(57)【要約】【課題】接続端子を半田によって導電層に固定する際、導電層やガラス板にクラックが生じるのを防止することができる、ガラス板モジュールを提供する。【解決手段】本発明に係るガラス板モジュールは、ガラス板と、前記ガラス板上に形成された導電層と、前記導電層に接続され、当該導電層に給電するための、少なくとも１つの接続端子と、前記接続端子を前記導電層に接続するための、前記ガラス板の熱膨張係数よりも大きい熱膨張係数を有する半田と、を備え、前記接続端子は、前記半田を介して前記導電層に接続される際に生じる応力を緩和するために、少なくとも前記半田と接する部分は変形可能な、導電部材を備えている。【選択図】図２
2018086910.tif 000002
【特許請求の範囲】
【請求項１】
ガラス板と、
前記ガラス板上に形成された導電層と、
前記導電層に接続され、当該導電層に給電するための、少なくとも１つの接続端子と、
前記接続端子を前記導電層に接続するための、前記ガラス板の熱膨張係数よりも大きい熱膨張係数を有する半田と、
を備え、
前記接続端子は、前記半田を介して前記導電層に接続される際に生じる応力を緩和するために、少なくとも前記半田と接する部分は変形可能な、導電部材を備えている、ガラス板モジュール。
【請求項２】
前記導電部材は、変形可能なフィルムまたはワイヤーにより形成されている請求項１に記載のガラス板モジュール。
【請求項３】
前記接続端子に固定されるケーブルを、前記ガラス板上に固定する固定部材をさらに備えている、請求項１または２に記載のガラス板モジュール。
【請求項４】
前記導電部材の厚さは、０．６ｍｍ以下である、請求項１から３のいずれかに記載のガラス板モジュール。
【請求項５】
前記導電部材において、前記半田が固定される側の端部は、前記ケーブルが接続される側の端部よりも変形しやすい形状に形成されている、請求項１から４のいずれかに記載のガラス板モジュール。
【請求項６】
前記半田は、無鉛半田である、請求項１から５のいずれかに記載のガラス板モジュール。
【請求項７】
前記導電部材は、銅により形成されている、請求項１から６のいずれかに記載のガラス板モジュール。
【請求項８】
前記ガラス板は、合わせガラスを構成するいずれか一方のガラス板である、請求項１から７のいずれかに記載のガラス板モジュール。
【請求項９】
前記ガラス板上に導電層を形成するステップと、
変形可能な導電部材を有し、前記導電層に給電するための接続端子を準備するステップと、
前記ガラス板の熱膨張係数よりも大きい熱膨張係数を有する半田を準備するステップと、
前記導電層に、前記半田を介して前記導電部材を固定するステップと、
を備えている、ガラス板モジュールの製造方法。
【発明の詳細な説明】
【技術分野】
【０００１】
本発明は、構造物の窓枠に取り付けられるガラス板モジュール、及びその製造方法に関する。
【背景技術】
【０００２】
例えば、特許文献１には、自動車のガラス板の導電層に接続される接続端子が開示されている。このような接続端子には、ケーブルなどが接続され、接続端子を介して導電層に給電が行われる。
【先行技術文献】
【特許文献】
【０００３】
【特許文献１】特表２０１３−５３２１１６号公報
【発明の概要】
【発明が解決しようとする課題】
【０００４】
ところで、上記のような接続端子は、導電層に半田を介して固定される。このとき、溶融した半田が硬化するのに伴う収縮によって、半田と接続端子との間に応力が発生し、この応力が半田を介してガラス板に作用することがあった。これにより、ガラス板や導電層にクラックが生じるおそれがあった。なお、このような問題は、自動車のガラスのみならず、電流が供給される導電層を有するガラス全般に生じ得る問題である。
【０００５】
本発明は、この問題を解決するためになされたものであり、接続端子を半田によって導電層に固定する際、導電層やガラス板にクラックが生じるのを防止することができる、ガラス板モジュール、及びその製造方法を提供することを目的とする。
【課題を解決するための手段】
【０００６】
本発明に係るガラス板モジュールは、ガラス板と、前記ガラス板上に形成された導電層と、前記導電層に接続され、当該導電層に給電するための、少なくとも１つの接続端子と、前記接続端子を前記導電層に接続するための、前記ガラス板の熱膨張係数よりも大きい熱膨張係数を有する半田と、を備え、前記接続端子は、前記半田を介して前記導電層に接続される際に生じる応力を緩和するために、少なくとも前記半田と接する部分は変形可能な、導電部材を備えている。
【０００７】
この構成により、次の効果を得ることができる。まず、半田、導電部材、導電層、及びガラス板の熱膨張係数は相違するので、溶融した半田が硬化するときに、従来例のようなガラス板にクラックが生じる問題があった。これについて検討したところ、半田が硬化により収縮する際には、半田とガラス板との熱収縮率の差によって発生する応力、及び半田と導電部材との熱収縮率の差によって発生する応力の両方が、ガラス板に伝わると考えられるため、これによって従来例では、ガラス板とともに導電層にもクラックが生じるおそれがあった。
【０００８】
そこで、本発明においては、接続端子において少なくとも半田と接する部分に設けられた導電部材を変形可能に構成しているため、導電部材は、半田の収縮とともにフレキシブルに変形し、半田と導電部材との熱収縮率の差によって発生する応力を低減することができる。これにより、ガラス板に伝わる応力を低減することができるため、ガラス板及び導電層にクラックが生じるのを防止することができる。
【０００９】
上記ガラス板モジュールにおいて、前記導電部材は、上記のような変形可能であれば、特には限定されないが、例えば、変形可能なフィルムまたはワイヤーにより形成することができる。
【００１０】
上記ガラス板モジュールにおいては、前記ケーブルを、前記ガラス板上に固定する固定部材をさらに備えることができる。これにより、次の効果を得ることができる。
【００１１】
導電部材に接続されるケーブルは、固定部材を介してガラス板に固定されおり、導電部材には接続されていないため、例えば、ケーブルが引っ張られた場合には、これが固定されている固定部材に引っ張りの力が作用し、導電部材には直接の力が作用しない。そのため、ケーブルが引っ張られても、導電部材が引っ張られるのを防止することができ、その結果、導電部材が導電層から剥離するのを防止することができる。
【００１２】
上記ガラス板モジュールにおいて、前記導電部材の厚さは、例えば、０．６ｍｍ以下とすることができる。
【００１３】
上記ガラス板モジュールでは、前記導電部材において、前記半田が固定される側の端部を、前記ケーブルが接続される側の端部よりも変形しやすい形状に形成することができる。これにより、半田の収縮時に、半田と導電部材との間に生じる応力をさらに緩和することができる。
【００１４】
上記ガラス板モジュールにおいて、前記半田は、例えば、無鉛半田とすることができる。
【００１５】
上記ガラス板モジュールにおいて、前記導電部材は、例えば、銅により形成することができる。
【００１６】
上記ガラス板モジュールにおいて、前記ガラス板は、単板でもよいが、例えば、合わせガラスを構成するいずれか一方のガラス板とすることができる。
【００１７】
本発明に係るガラス板モジュールの製造方法は、前記ガラス板上に導電層を形成するステップと、変形可能な導電部材を有し、前記導電層に給電するための接続端子を準備するステップと、前記ガラス板の熱膨張係数よりも大きい熱膨張係数を有する半田を準備するステップと、前記導電層に、前記半田を介して前記導電部材を固定するステップと、を備えている。
【発明の効果】
【００１８】
本発明に係るガラス板モジュールによれば、接続端子を半田によって導電層に固定する際、導電層やガラス板にクラックが生じるのを防止することができる。
【図面の簡単な説明】
【００１９】
【図１】本発明のガラス板モジュールをウインドシールドに適用した一実施形態を示す平面図である。
【図２】図１のＡ−Ａ線断面図である。
【図３】給電ケーブルの製造を説明する平面図である。
【図４】固定部材の成形を説明する図である。
【図５】本発明に係るガラス板モジュールにおける導電部材の他の例を示す平面図である。
【図６】給電ケーブルの他の例を示す側面図である。
【図７】給電ケーブルの他の例を示す平面図である。
【発明を実施するための形態】
【００２０】
以下、本発明に係るガラス板モジュールを自動車のウインドシールドに適用した一実施形態について，図面を参照しつつ説明する。図１は、本実施形態に係るウインドシールドの平面図、図２は図１のＡ−Ａ線断面図である。図１及び図２に示すように、このウインドシールドは、合わせガラス１と、この合わせガラスの下端縁に沿って形成され、合わせガラス１に生じた曇りや霜を除去するデアイサー２と、を備えている。そして、このデアイサー２に対しては、給電用の接続ユニット３０が取り付けられている。接続ユニット３０には、車内から延びる２本の給電ケーブル４が接続されており、各給電ケーブル４の先端に取り付けられた接続端子３がデアイサー２に接続されている。以下、各部材について説明する。
【００２１】
＜１．合わせガラス＞
図２に示すように、この合わせガラス１は、外側ガラス板１１及び内側ガラス板１２を備え、これらガラス板１１、１２の間に樹脂製の中間膜１３が配置されている。また、内側ガラス板１２の下端縁の中央付近には、円弧状の切欠き１４が形成されており、この切欠き１４から外側ガラス板１１の内面（車内側の面）が露出している。そして、後述するように、この露出部分にデアイサー２の２個の給電部２１、２２が配置される。
【００２２】
＜１−１．外側ガラス板及び内側ガラス板＞
まず、外側ガラス板１１及び内側ガラス板１２から説明する。外側ガラス板１１及び内側ガラス板１２は、公知のガラス板を用いることができ、熱線吸収ガラス、一般的なクリアガラスやグリーンガラス、またはＵＶグリーンガラスで形成することもできる。但し、これらのガラス板１１、１２は、自動車が使用される国の安全規格に沿った可視光線透過率を実現する必要がある。例えば、外側ガラス板１１により必要な日射吸収率を確保し、内側ガラス板１２により可視光線透過率が安全規格を満たすように調整することができる。以下に、クリアガラス、熱線吸収ガラス、及びソーダ石灰系ガラスの一例を示す。
【００２３】
（クリアガラス）
ＳｉＯ2:７０〜７３質量％
Ａｌ2Ｏ3：０．６〜２．４質量％
ＣａＯ：７〜１２質量％
ＭｇＯ：１．０〜４．５質量％
Ｒ2Ｏ：１３〜１５質量％（Ｒはアルカリ金属）
Ｆｅ2Ｏ3に換算した全酸化鉄（Ｔ−Ｆｅ2Ｏ3）：０．０８〜０．１４質量％
【００２４】
（熱線吸収ガラス）
熱線吸収ガラスの組成は、例えば、クリアガラスの組成を基準として、Ｆｅ2Ｏ3に換算した全酸化鉄（Ｔ−Ｆｅ2Ｏ3）の比率を０．４〜１．３質量％とし、ＣｅＯ2の比率を０〜２質量％とし、ＴｉＯ2の比率を０〜０．５質量％とし、ガラスの骨格成分（主に、ＳｉＯ2やＡｌ2Ｏ3）をＴ−Ｆｅ2Ｏ3、ＣｅＯ2およびＴｉＯ2の増加分だけ減じた組成とすることができる。
【００２５】
（ソーダ石灰系ガラス）
ＳｉＯ2:６５〜８０質量％
Ａｌ2Ｏ3：０〜５質量％
ＣａＯ：５〜１５質量％
ＭｇＯ：２質量％以上
ＮａＯ：１０〜１８質量％
Ｋ2Ｏ：０〜５質量％
ＭｇＯ＋ＣａＯ:５〜１５質量％
Ｎａ2Ｏ＋Ｋ2Ｏ：１０〜２０質量％
ＳＯ3：０．０５〜０．３質量％
Ｂ2Ｏ3：０〜５質量％
Ｆｅ2Ｏ3に換算した全酸化鉄（Ｔ−Ｆｅ2Ｏ3）：０．０２〜０．０３質量％
【００２６】
本実施形態に係る合わせガラスの厚みは特には限定されないが、軽量化の観点からは、外側ガラス板１１と内側ガラス板１２の厚みの合計を、２．４〜５．０ｍｍとすることが好ましく、２．６〜４．６ｍｍとすることがさらに好ましく、２．７〜３．２ｍｍとすることが特に好ましい。このように、軽量化のためには、外側ガラス板１１と内側ガラス板１２との合計の厚みを小さくすることが必要であるので、各ガラス板のそれぞれの厚みは、特には限定されないが、例えば、以下のように、外側ガラス板１１と内側ガラス板１２の厚みを決定することができる。
【００２７】
外側ガラス板１１は、主として、外部からの障害に対する耐久性、耐衝撃性が必要であり、例えば、この合わせガラスを自動車のウインドシールドとして用いる場合には、小石などの飛来物に対する耐衝撃性能が必要である。他方、厚みが大きいほど重量が増し好ましくない。この観点から、外側ガラス板１１の厚みは１．８〜２．３ｍｍとすることが好ましく、１．９〜２．１ｍｍとすることがさらに好ましい。何れの厚みを採用するかは、ガラスの用途に応じて決定することができる。
【００２８】
内側ガラス板１２の厚みは、外側ガラス板１１と同等にすることができるが、例えば、合わせガラスの軽量化のため、外側ガラス板１１よりも厚みを小さくすることができる。具体的には、ガラスの強度を考慮すると、０．６〜２．３ｍｍであることが好ましく、０．８〜２．０ｍｍであることが好ましく、１．０〜１．４ｍｍであることが特に好ましい。更には、０．８〜１．３ｍｍであることが好ましい。内側ガラス板１２についても、何れの厚みを採用するかは、ガラスの用途に応じて決定することができる。
【００２９】
また、本実施形態に係る外側ガラス板１１及び内側ガラス板１２の形状は、湾曲形状である。合わせガラスが湾曲形状である場合には、ダブリ量が大きくなると遮音性能が低下するとされている。ダブリ量とは、合わせガラスの曲げを示す量であり、例えば、合わせガラスの上辺の中央と下辺の中央とを結ぶ直線Ｌを設定したとき、この直線Ｌと合わせガラスとの距離のうち最も大きいものをダブリ量Ｄと定義する。
【００３０】
ここで、合わせガラス１の厚みの測定方法の一例について説明する。まず、測定位置については、合わせガラスの左右方向の中央を上下方向に延びる中央線Ｓ上の上下２箇所である。測定機器は、特には限定されないが、例えば、株式会社テクロック製のＳＭ−１１２のようなシックネスゲージを用いることができる。測定時には、平らな面に合わせガラスの湾曲面が載るように配置し、上記シックネスゲージで合わせガラスの端部を挟持して測定する。なお、このウインドシールドが本発明に係るガラス板に相当する。
【００３１】
＜１−２．中間膜＞
中間膜１３は、少なくとも一層で形成されており、一例として、図２中の拡大図に示すように、軟質のコア層１３１を、これよりも硬質のアウター層１３２で挟持した３層で構成することができる。但し、この構成に限定されるものではなく、コア層１３１と、外側ガラス板１１側に配置される少なくとも１つのアウター層１３２とを有する複数層で形成されていればよい。例えば、コア層１３１と、外側ガラス板１１側に配置される１つのアウター層１３２を含む２層の中間膜１３、またはコア層１３１を中心に両側にそれぞれ２層以上の偶数のアウター層１３２を配置した中間膜１３、あるいはコア層１３１を挟んで一方に奇数のアウター層１３２、他方の側に偶数のアウター層１３２を配置した中間膜１３とすることもできる。なお、アウター層１３２を１つだけ設ける場合には、上記のように外側ガラス板１１側に設けているが、これは、車外や屋外からの外力に対する耐破損性能を向上するためである。また、アウター層１３２の数が多いと、遮音性能も高くなる。
【００３２】
コア層１３１はアウター層１３２よりも軟質であるかぎり、その硬さは特には限定されない。各層１３１，１３２を構成する材料は、特には限定されないが、例えば、アウター層１３２は、例えば、ポリビニルブチラール樹脂（ＰＶＢ）によって構成することができる。ポリビニルブチラール樹脂は、各ガラス板との接着性や耐貫通性に優れるので好ましい。一方、コア層１３１は、例えば、エチレンビニルアセテート樹脂（ＥＶＡ）、またはアウター層を構成するポリビニルブチラール樹脂よりも軟質なポリビニルアセタール樹脂によって構成することができる。軟質なコア層を間に挟むことにより、単層の樹脂中間膜と同等の接着性や耐貫通性を保持しながら、遮音性能を大きく向上させることができる。
【００３３】
一般に、ポリビニルアセタール樹脂の硬度は、（ａ）出発物質であるポリビニルアルコールの重合度、（ｂ）アセタール化度、（ｃ）可塑剤の種類、（ｄ）可塑剤の添加割合などにより制御することができる。したがって、それらの条件から選ばれる少なくとも１つを適切に調整することにより、同じポリビニルブチラール樹脂であっても、アウター層１３２に用いる硬質なポリビニルブチラール樹脂と、コア層１３１に用いる軟質なポリビニルブチラール樹脂との作り分けが可能である。さらに、アセタール化に用いるアルデヒドの種類、複数種類のアルデヒドによる共アセタール化か単種のアルデヒドによる純アセタール化によっても、ポリビニルアセタール樹脂の硬度を制御することができる。一概には言えないが、炭素数の多いアルデヒドを用いて得られるポリビニルアセタール樹脂ほど、軟質となる傾向がある。したがって、例えば、アウター層１３２がポリビニルブチラール樹脂で構成されている場合、コア層１３１には、炭素数が５以上のアルデヒド（例えばｎ−ヘキシルアルデヒド、２−エチルブチルアルデヒド、ｎ−へプチルアルデヒド、ｎ−オクチルアルデヒド）、をポリビニルアルコールでアセタール化して得られるポリビニルアセタール樹脂を用いることができる。なお、所定のヤング率が得られる場合は、上記樹脂等に限定されることはい。
【００３４】
また、中間膜１３の総厚は、特に規定されないが、０．３〜６．０ｍｍであることが好ましく、０．５〜４．０ｍｍであることがさらに好ましく、０．６〜２．０ｍｍであることが特に好ましい。また、コア層１３１の厚みは、０．１〜２．０ｍｍであることが好ましく、０．１〜０．６ｍｍであることがさらに好ましい。一方、各アウター層１３２の厚みは、０．１〜２．０ｍｍであることが好ましく、０．１〜１．０ｍｍであることがさらに好ましい。その他、中間膜１３の総厚を一定とし、この中でコア層１３１の厚みを調整することもできる。
【００３５】
コア層１３１及びアウター層１３２の厚みは、例えば、以下のように測定することができる。まず、マイクロスコープ（例えば、キーエンス社製ＶＨ−５５００）によって合わせガラスの断面を１７５倍に拡大して表示する。そして、コア層１３１及びアウター層１３２の厚みを目視により特定し、これを測定する。このとき、目視によるばらつきを排除するため、測定回数を５回とし、その平均値をコア層１３１、アウター層１３２の厚みとする。
【００３６】
なお、中間膜１３のコア層１３１、アウター層１３２の厚みは全面に亘って一定である必要はなく、例えば、ヘッドアップディスプレイに用いられる合わせガラス用に楔形にすることもできる。この場合、中間膜１３のコア層１３１やアウター層１３２の厚みは、最も厚みの小さい箇所、つまり合わせガラスの最下辺部を測定する。中間膜１３が楔形の場合、外側ガラス板及び内側ガラス板は、平行に配置されないが、このような配置も本発明におけるガラス板に含まれるものとする。すなわち、本発明においては、例えば、１ｍ当たり３ｍｍ以下の変化率で厚みが大きくなるコア層１３１やアウター層１３２を用いた中間膜１３を使用した時の外側ガラス板と内側ガラス板の配置を含む。
【００３７】
中間膜１３の製造方法は特には限定されないが、例えば、上述したポリビニルアセタール樹脂等の樹脂成分、可塑剤及び必要に応じて他の添加剤を配合し、均一に混練りした後、各層を一括で押出し成型する方法、この方法により作成した２つ以上の樹脂膜をプレス法、ラミネート法等により積層する方法が挙げられる。プレス法、ラミネート法等により積層する方法に用いる積層前の樹脂膜は単層構造でも多層構造でもよい。また、中間膜１３は、上記のような複数の層で形成する以外に、１層で形成することもできる。
【００３８】
＜２．デアイサー＞
図１及び図２に示すように、デアイサー２は、外側ガラス板１１の内面に配置される正極用給電部２１及び負極用給電部２２と、これら給電部２１，２２から外側ガラス板１１の下端縁に沿って延びる導電パターン２３と、を備えている。両給電部２１，２２は、矩形状に形成され、上述した内側ガラス板１２の切欠き１４から露出する位置に形成されている。より詳細には、各給電部２１，２２は、外側ガラス板１１の下縁から所定の距離をおいて配置されている。そして、本実施形態においては、２本のケーブル４が用いられ、各給電部２１，２２に、ケーブル４が一つずつ接続されている。また、導電パターン２３は、複数の導線で構成され、正極用給電部２１から外側ガラス板１１の下縁に沿って延び、負極用給電部２２に接続されるように形成されている。なお、両給電部２１，２２が本発明の導電層に相当する。
【００３９】
これら各給電部２１，２２及び導電パターン２３は、例えば、導電性の銀ペーストを外側ガラス板１１の内面に印刷し焼成することによって薄膜状に形成される。これらの厚みは、例えば、３〜２５μｍとすることができる。ただし、これらを構成する材料は、この銀ペーストに限定されず、適宜選択可能である。
【００４０】
＜３．接続ユニット＞
続いて、接続ユニット３０について説明する。この接続ユニットは、２本の給電ケーブル４０と、これら給電ケーブル４０を一体的に固定する固定部材３２とを備えている。以下、この接続ユニットについて、製造方法を示しながら説明する。
【００４１】
図３（ａ）に示すように、給電ケーブル４０は、ケーブル本体４と、その先端に取り付けられる接続端子３と、を備えている。ケーブル本体４は、導線４１と、この導線４１を被覆する絶縁性の被覆部材４２とで構成されている。また、接続端子３は、フィルム状の導電部材３１により形成されている。接続端子３は、銅、ＳＵＳ、４２アロイなどの導電性材料により形成されたフレキシブルに変形可能な部材であり、平面視矩形状に形成されている。接続端子３の厚みは、例えば、０．０１〜０．６ｍｍとすることが好ましく、０．１〜０．４ｍｍとすることがさらに好ましい。０．０１ｍｍ以下では製造工程等においてハンドリングしづらく、また切れてしまう等の問題が懸念され、０．６ｍｍ以上では厚過ぎて本発明のクラック抑制効果が低減してしまう。
【００４２】
そして、図３（ｂ）に示すように、ケーブル本体４の先端から突出する導線４１を半田４３により接続端子３に固定することで、給電ケーブル４が形成される。半田４３は、有鉛半田または無鉛半田のいずれであってもよい。
【００４３】
次に、２つの給電ケーブル４０を固定部材３２により固定する。まず、図４（ａ）に示すように、成形型の下型６を準備する。この下型６は、直方体状に形成され、上面に直方体状の第１キャビティ６１が形成されている。また、この下型６の上面には、この上面の端縁から第１キャビティ６１に向かって延びる断面半円状の２つの凹部６２が形成されている。この凹部６２は、ケーブル本体４を配置するものである。
【００４４】
続いて、図４（ｂ）に示すように、この下型６に２本の給電ケーブル４０を配置する。このとき、各給電ケーブル４０のケーブル本体４を凹部６２に配置するとともに、接続端子３のケーブル本体４側、つまり半田４３が配置されている部位を第１キャビティ６１上に配置する。これに続いて、図４（ｃ）に示すように、下型６上に上型７を配置する。上型７の下面には、第１キャビティと同形状の第２キャビティ（図示省略）が形成されている。また、上型７の上面と第２キャビティとは、連通路７１で接続されている。そして、連通路７１から固定部材３２用の溶融樹脂を供給し、第１キャビティ６１及び第２キャビティに樹脂材料を注入する。こうして、樹脂材料の注入が完了し、冷却されると、図４（ｄ）に示すように、直方体状の固定部材３２が成形される。この固定部材３２には、２本の給電ケーブル４０が固定されているため、固定部材３２とともに、これら給電ケーブル４０を上型７及び下型６から離型する。
【００４５】
こうして形成された固定部材３２は、外側ガラス板１１の下縁と給電部２１，２２との間の隙間に配置され、両面テープ、接着剤などで外側ガラス板１１に固定されている。このように、固定部材３２は給電ケーブル４０を固定するための樹脂材料であるため、導電部材３１の方が固定部材３２よりも変形しやすくなっている。なお、図１では、説明の便宜のため、固定部材３２を省略して説明している。
【００４６】
そして、各接続端子３は、無鉛半田５によって給電部２１，２２に接続される。無鉛半田５は、公知の種々のものを用いることができる。例えば、インジウム系やビスマス系の柔らかい無鉛半田のほか、Ｓｎ含有量が９０％以上の硬い無鉛半田を用いることもできる。特に、Ｓｎ−Ａｇ系（Ｓｎ９０％以上）の半田はヤング率が４０ＧＰａ程度で硬いので、残留応力が大きい。そのため、このような半田を用いた場合には、後述するように、本実施形態に係るガラス板モジュールの効果を特に発揮することができる。
【００４７】
無鉛半田５によって、接続端子３と給電部２１，２２とは、次のように接続される。まず、無鉛半田５を給電部２１，２２上に配置し、その上に接続端子３を配置した上で、接続端子３において無鉛半田５が取り付けられた面とは反対側の面を加熱する。これにより、無鉛半田５が溶融し、その後、硬化することで、接続端子３と給電部２１，２２とが接続される。あるいは、接続端子３に、予め無鉛半田５を取り付けておく。そして、無鉛半田５を給電部２１，２２に接触させた上で、接続端子３を加熱する。これにより、無鉛半田５が溶融し、硬化したところで、接続端子３と給電部２１，２２とが接続される。あるいは、給電部２１，２２上に、接続端子３を配置し、その上から溶融した無鉛半田５を流し込んで、両者を固定することもできる。また、接続端子３が、固定部材３２と無鉛半田５との間で引っ張られないように、接続端子３には張力が作用しないように無鉛半田５に固定されることが好ましい。
【００４８】
半田５によって給電部２１，２２に接続された各接続端子３は、図２に示すように、シール材３３によって覆われ、外側ガラス板１１に固定される。これにより、給電部２１，２２及び接続端子３に水などが接触するのを防止することができ、防水性を付与することができる。シール材３３は、例えば、ウレタン系の樹脂材料により形成することができる。
【００４９】
＜４．特徴＞
以上のように、本実施形態に係るウインドシールドによれば、次の効果を得ることができる。
【００５０】
(1) 無鉛半田５、接続端子３、給電部２１，２２、及び外側ガラス板１１の熱膨張係数は相違するので、溶融した無鉛半田５が硬化するときには、外側ガラス板１１やこれに積層された給電部２１，２２にクラックが生じるおそれがある。すなわち、無鉛半田５が硬化により収縮する際には、無鉛半田５とガラス板１１との熱収縮率の差によって発生する応力、及び無鉛半田５と接続端子３との熱収縮率の差によって発生する応力の両方が、外側ガラス板１１に伝わると考えられるため、これによって従来例では、外側ガラス板１１とともに給電部２１，２２にもクラックが生じるおそれがあった。なお、給電部２１、２２は、上述したように、薄膜であるため、給電部２１、２２に発生する応力は無視することができる。
【００５１】
これに対して、本実施形態においては、接続端子３をフィルム状に形成しているため、接続端子３は、無鉛半田５の収縮とともにフレキシブルに変形し、無鉛半田５と接続端子３との熱収縮率の差によって発生する応力を低減することができる。したがって、外側ガラス板１１に伝わる応力を低減することができるため、外側ガラス板１１及び給電部２１，２２にクラックが生じるのを防止することができる。
【００５２】
特に、ウインドシールドに用いられる合わせガラス１は、強化がなされていないため、ガラス表面の応力が小さく、接続端子３を半田によって導電層に固定する際に生じる応力によって、ガラス板や導電層にクラックがより発生しやすい。さらに、無鉛半田５は、種類によっては有鉛半田よりも硬い。以上のような状況から、本実施形態に係るウインドシールドにおいて、上記のような接続端子３を用いると、特に有利である。
【００５３】
(2) 接続端子３に接続されるケーブル本体４は、固定部材３２を介して外側ガラス板１１に固定されている。上記のように、この固定部材３２は、接続端子３の先端側には接続されていないため、例えば、ケーブル本体４が引っ張られた場合には、これが固定されている固定部材３２に引っ張りの力が作用し、接続端子３には直接の力が作用しない。特に、接続端子３に張力が発生しないように、接続端子３と無鉛半田５とを固定していると、その効果が顕著になる。そのため、ケーブル４が引っ張られても、導電部材３１が引っ張られるのを防止することができ、その結果、導電部材３１が給電部２１，２２から剥離するのを防止することができる。
【００５４】
＜５．変形例＞
以上、本発明の一実施形態について説明したが、本発明は上記実施形態に限定されるものではなく、その趣旨を逸脱しない限りにおいて、種々の変更が可能である。そして、以下に示す複数の変形例は適宜組合わせることが可能である。
【００５５】
＜１＞
上記実施形態では、接続端子３を矩形状に形成しているが、特には限定されない。例えば、無鉛半田５との接触面積を低減し、無鉛半田５の収縮により発生する応力を緩和するため、図５に示すような形状にすることができる。図５（ａ）の接続端子３は、無鉛半田５が取り付けられる先端部にいくにしたがって幅が細くなるように形成している。図５（ｂ）の例では、接続端子３の先端から突出する幅の細い矩形状の突出部３１１を設け、この突出部３１１に半田５を取り付けており、図５（ｃ）の例では、図５（ｂ）の接続端子３の先端に円形の部位３１２を設け、この部位３１２に半田５を取り付ける。図５（ｄ）の例では、接続端子３の先端に多数の小孔３１３を形成し、図５（ｅ）の例では、接続端子３の先端に一つの孔３１４を形成している。また、図５（ｆ）の例では、接続端子３の先端から複数の幅の細い突出部３１５を櫛状に突出させている。
【００５６】
このように、接続端子３は、種々の形態にすることができ、上述した応力緩和の観点からは、無鉛半田５が取り付けられる端部の幅、面積を、反対側の端部よりも小さくすればよい。
【００５７】
上記接続端子３は、図６に示すように、側面視波形に形成することもできる。こうすることで、無鉛半田５とケーブル本体４との間で接続端子３に張力が作用するのを防止することができる。波形以外であってもよく、張力が作用しないような伸縮できる形状であればよい。
【００５８】
また、接続端子３は、上述したフィルム状に形成する以外に、例えば、図７に示すように、変形可能な導電性のワイヤーで形成することもできる。すなわち、ケーブル本体４の導線４１にワイヤー３を接続すればよい。また、図７（ａ）のような直線状のワイヤーのほか、図７（ｂ）のような波形のワイヤーを用いることもできる。すなわち、伸縮できるような形態であってもよい。
【００５９】
接続端子３は、少なくとも無鉛半田５と接続される部分が、変形可能な導電部材で形成されていればよい。したがって、ケーブル本体４と接続される部分と、無鉛半田５に接続される部分とを別の材料で形成することもできる。この場合、導電部材は、上述した接続端子３のような構成であればよい。
【００６０】
＜２＞
上記実施形態に係るデアイサー２では、２個の給電部２１，２２から導電パターン２３に電流を供給しているが、給電部の数、形状、導電パターンの形態については、特に限定されず、要求される性能に応じて種々の形態が可能である。そして、それに伴って、導電部材３１の数やケーブル４の数などの形態も適宜変更することができる。
【００６１】
＜３＞
導電部材３１とケーブルとの接続方法は、特には限定されない。また、上記実施形態では、樹脂材料により、ケーブル本体４と一体的に固定部材３２を成形しているが、例えば、貫通孔や溝を形成した固定部材を準備しておき、これにケーブル本体４を固定するようにしてもよい。
【００６２】
＜４＞
上記実施形態では、ケーブル４を固定部材３２によって外側ガラス板１１に固定しているが、外側ガラス板１１へのケーブル４の固定方法は特には限定されない。例えば、上記実施形態では、２つのケーブルを固定するようにしているが、１個のケーブルまたは３以上のケーブルを固定するようにしてもよい。また、固定部材３２を設けないようにすることもできる。
【００６３】
＜５＞
上記実施形態では、無鉛半田を用いているが、有鉛半田においても同様の効果を得ることができる。
【００６４】
＜６＞
上記実施形態では、合わせガラスに対して、本発明を適用しているが、単板からなるガラス板に適用することもできる。
【００６５】
＜７＞
上記実施形態では、デアイサー２に接続端子３を固定する例を示しているが、デアイサー以外でも電流が供給される電装品であれば、本発明の導電層として適用することができる。例えば、デフォッガや、アンテナであってもよい。
【００６６】
＜８＞
上記実施形態では、ガラス板モジュールをウインドシールドに適用した例を示したが、本発明に係るガラス板モジュールは、ウインドシールド以外の自動車の窓にも適用することができ、さらには自動車以外の建築物などの構造物に対しても適用することができる。
【符号の説明】
【００６７】
１        ：ガラス板
２        ：デアイサー（導電層）
３        ：接続端子
３１      ：導電部材
３２      ：固定部材
４        ：ケーブル
５        ：無鉛半田
【図１】
2018086910.tif 000003
【図２】
2018086910.tif 000004
【図３】
2018086910.tif 000005
【図４】
2018086910.tif 000006
【図５】
2018086910.tif 000007
【図６】
2018086910.tif 000008
【図７】
2018086910.tif 000009